(57)【要約】【課題】何らかの理由で手の力が抜けても筐体が手から滑り落ちることのないようにした携帯型電子機器を提供する。【解決手段】携帯型電子（１０）の筐体（２０）の外面の少なくとも使用者の手の掌に接する部位には革製シート（４０，４１，４２）を粘着剤によって着脱可能に貼着する。革製シートは筐体の外面の全体を覆う大きさとし、その全面で筐体の外面に着脱可能に貼着されるのが好ましい。また、筐体を内面側の半部（２１）と外面側の半部（２２）とを相互に重ね合わせて構成し、革製シートの外縁部分には革漉きを施し、該外縁部分を筐体の内面側半部と外面側半部との間に差し込んで挟持するのが好ましい。【選択図】  図１
2004320310.tif 000002
【特許請求の範囲】
【請求項１】
硬質プラスチック製の筐体内に電子デバイスを内蔵し、筐体の内面に少なくとも表示部及び操作部をレイアウトする一方、筐体の外面を平滑な面とした携帯型電子機器において、
上記筐体の外面の少なくとも使用者の手の掌に接する部位には革製シートが粘着剤によって着脱可能に貼着されていることを特徴とする携帯型電子機器。
【請求項２】
上記革製シートが上記筐体の外面の全体を覆う大きさである請求項１記載の携帯型電子機器。
【請求項３】
上記革製シートがその全面で上記筐体の外面に着脱可能に貼着されている請求項２記載の携帯型電子機器。
【請求項４】
上記革製シートが所定の箇所で上記筐体の外面に着脱可能に貼着されている請求項２記載の携帯型電子機器。
【請求項５】
上記筐体が内面側の半部と外面側の半部とを相互に重ね合わせて構成され、上記革製シートの外縁部分には革漉きが施され、該外縁部分が上記筐体の内面側半部と外面側半部との間に差し込まれて挟持されている請求項２ないし４のいずれかに記載の携帯型電子機器。
【請求項６】
上記革製シートが天然革又は合成皮革を用いて製作されている請求項１ないし５のいずれかに記載の携帯型電子機器。
【発明の詳細な説明】
【０００１】
【発明の属する技術分野】
本発明は携帯型電子機器に関し、特に何らかの理由で手の力が抜けても筐体が手から滑り落ちることのないようにした機器に関する。
【０００２】
【従来の技術】
最近の電子技術の飛躍的な発展に伴い、携帯電話、ＰＨＳ、ＰＤＡ等の携帯型電子機器が広く普及するようになった。
【０００３】
この携帯型電子機器ではほぼ矩形状の筐体内に電子デバイスを内蔵し、筐体の一方の表面（以下、単に「内面」という）にディスプレイ等の表示部、キーボタン等の操作部、その他の必要な機能部品をレイアウトしているが、筐体の他方の表面（以下、単に「外面」という）には筐体を手の掌の上に載せる関係上、筐体外面がそのまま露出されている。
【０００４】
ところで、かかる携帯型電子機器の筐体は簡易に携帯でき、又内蔵した電子デバイスを保護するという観点から、丈夫で軽い硬質プラスチック材料を用い、しかも筐体外面のコーナー部分を丸みをもって製作され、さらには手の掌で違和感なく載せた状態で手指で掴めるように出っ張りの少ない平滑な面に製作されていることが多い。
【０００５】
しかし、筐体の外面を平滑な面にすると、ユーザが携帯型電子機器の使用中に筐体を持つ力が何らかの理由でフッと抜けると、手から携帯型電子機器が滑り落ちることがあり、筐体に多数の傷をつけるばかりでなく、トイレや洗面所で水中に携帯型電子機器を落とすと、機器内データが壊れてしまうことがあった。
【０００６】
従来より、携帯電話の筐体内面側の適切な箇所に、潜熱蓄熱剤のカプセルを分散させた合成皮革を貼着し、携帯電話を耳に長時間当てても耳が蒸れたり暑くなったりするのを防止することが提案されている（特許文献１、参照）。また、携帯型電子機器の筐体内面に合成樹脂等の装飾シートを貼着し、装飾性を向上させることが提案されている（特許文献２、特許文献３、等参照）。
【０００７】
【特許文献１】特開２００１−２９９４２６号公報
【特許文献２】特開２００１−３３１１１０号公報
【特許文献３】実用新案登録第３０６１０５２号公報
【０００８】
【発明が解決しようとする課題】
しかし、上記従来公報記載の方法は筐体の内面側に合成皮革や装飾シートを貼着するものであるので、筐体外面の平滑性に起因して携帯型電子機器が手から滑り落ちることには対応できない。
【０００９】
本発明はかかる問題点に鑑み、何らかの理由で手の力が抜けても筐体が手から滑り落ちることのないようにした携帯型電子機器を提供することを課題とする。
【００１０】
【課題を解決するための手段】
そこで、本発明に係る携帯型電子機器は、硬質プラスチック製の筐体内に電子デバイスを内蔵し、筐体の内面に少なくとも表示部及び操作部をレイアウトする一方、筐体の外面を平滑な面とした携帯型電子機器において、上記筐体の外面の少なくとも使用者の手の掌に接する部位には革製シートが粘着剤によって着脱可能に貼着されていることを特徴とする。
【００１１】
本発明の特徴の１つは携帯型電子機器の筐体の外面の少なくとも使用者の手の掌に接する部位に少なくとも掌の大きさの革製シートを貼着するようにした点にある。これにより、ユーザが何らかの理由で筐体を持つ力をフッと抜いた場合でも表面がざらついて滑り難いという革の表面特性により携帯型電子機器の筐体が手の掌から滑り落ちることはない。
【００１２】
しかも、革はその特性により温もり感があり、ユーザの手に馴染みやすく、携帯型電子機器が手から滑り落ちることがより少なくなる。その結果、筐体が傷ついたり、携帯型電子機器内のデータが壊れたりするのをより確実に防止できることとなる。
【００１３】
また、革製シートを粘着剤によって筐体外面に着脱可能に貼着しているので、革製シートを修理しあるいは交換したい場合にも革製シートを筐体から簡単に剥がすことができる。
【００１４】
また、革はその特性により焼印を押したり模様や写真等をプリントすることができるので、好みの装飾を施した革製シートを用いることにより携帯型他電子機器にユーザの個性を与えることができる。
【００１５】
革製シートは筐体の外面の少なくとも使用者の手の掌に接する部位に貼着し、滑り落ちるのを防止できればよく、革製シートの大きさや数は特に限定されないが、滑り落ち防止効果を確実に確保する上で、革製シートを少なくとも掌の大きさとするのがよく、好ましくは筐体外面の全体に革製シートを貼着するのがよい。即ち、革製シートが筐体の外面の全体を覆う大きさであるのがよい。
【００１６】
革製シートは筐体に対して確実に貼着され、ずれたりしないように、革製シートの全面で筐体の外面に着脱可能に貼着するのがよいが、ユーザが簡単に交換できるように、革製シートを所定の箇所、例えば筐体の四隅やコーナー部位で筐体の外面に着脱可能に貼着するようにしてもよい。
【００１７】
粘着剤は革製シートの裏面に塗布し、その上に剥離シートを貼着しておき、必要な時に剥離シートを剥がし、革製シートを携帯型電子機器に筐体外面に貼着してもよく、又両面粘着テープを用いて革製シートを携帯型電子機器に筐体外面に貼着してもよい。
【００１８】
革製シートの厚みは特に限定されないが、携帯型電子機器の大きさや手への馴染み性を考慮すると、０．４ｍｍないし１．５ｍｍ程度、好ましくは０．４〜０．５ｍｍがよい。また、革製シートは革漉きによって０．２ｍｍ程度まで薄くすることができる。
【００１９】
筐体外面を革製シートで覆う場合、革製シートの外縁部分の処理が問題となる。すなわち、革製シートの外縁をそのまま露出しておくと、革製シートの外縁部分が破れるおそれがある。他方、革製シートの外縁部分を硬化剤等で硬化させて保護するようにしてもよいが、革製シートの硬化部分がゴワゴワしてユーザの手に違和感を与えるおそれがある。
【００２０】
ところで、携帯型電子機器の筐体は内面側の部分（以下、内面側半部という）と外面側の部分（以下、外面側半部という）とを重ね合わせて構成されていることが多い。そこで、革製シートの外縁部分には革漉きを施して０．２ｍｍ程度に薄くし、該外縁部分を筐体の内面側半部と外面側半部との間に差し込んで挟持するようにするのがよい。
【００２１】
革製シートは天然革を用いて製作するのがよいが、合成皮革を用いて製作することもできる。
【００２２】
【発明の実施の形態】
以下、本発明を図面に示す具体例に基づいて詳細に説明する。図１ないし図３は本発明に係る携帯型電子機器の好ましい実施形態を示し、これは携帯電話に適用した例である。図において、携帯電話１０の筐体２０はヒンジ１７の廻りに２つに折り畳み可能な形態をなし、筐体２０は硬質プラスチック材料を用いてほぼ矩形状に製作されている。
【００２３】
この筐体２０内には携帯電話による通信機能を発揮する電子デバイス、例えばＣＰＵやＲＡＭ等、及びバッテリーが内蔵され、筐体２０の上側の内面にはディスプレイ１１及びスピーカ１３がレイアウトされ、筐体２０の下側の内面には各種キーボタン１２及びマイク１４がレイアウトされている。
【００２４】
他方、筐体２０の下側の外面にはアンテナ１５がレイアウトされ、筐体２０の下側の外面にはバッテリーの収容凹所が形成され、該収容凹所はこれも硬質プラスチック製の蓋によって着脱可能に封鎖され、この蓋は筐体２０の外面の一部を構成している。また、筐体２０の下側の外面にはその下端縁部分にバッテリー充電用プラグの接続穴が形成され、該接続穴は蓋１６によって開閉可能に封鎖されている。
【００２５】
また、筐体２０は上側及び下側の部分ともに内面側半部２１と外面側半部２２とを相互に重ね合わせ、該半部２１、２２に形成された係止突起と係止凹部との係合等によって一体的に結合して構成されている。
【００２６】
そして、筐体２０の外面側半部２２にはその全面に革製シート４０〜４２が粘着剤によって着脱可能に貼着されている。この革製シート４０〜４２には皮をなめした天然革が用いられるが、ホルムアルデヒドや六価クロム、ある種のアゾ染料等の有害物質が基準値以内の革を使用し、焼却しても公害問題の発生しない革を使用するのがよい。また、少しの雨水に濡れても大丈夫なように撥水処理を施してもよい。
【００２７】
革製シート４０は筐体２０の上側半部を覆うほぼ四角形状のシートで、全体は０．４〜０．５ｍｍの厚みを有し、周縁部分（図中、外縁は一点鎖線で囲まれる部分）は革漉きによって０．２ｍｍの厚みに設定されている。なお、この革漉きは皮革業界において普通に用いられている技術であるので、その詳細な説明は省略する。
【００２８】
革製シート４１は筐体２０の下側半部を覆うほぼ四角形状のシートで、全体は０．４〜０．５ｍｍの厚みを有し、周縁部分（図中、外縁は一点鎖線で囲まれる部分）は革漉きによって０．２ｍｍの厚みに設定されている。
【００２９】
また、革製シート４１の上部にはアンテナ１５を挿通させる穴（外縁から内方に延びる切り欠き部を形成し、切り欠き部内にアンテナ１５を収容してから切り欠き部を相互に貼り合わせるようにしてもよい）４１０が形成されるとともに、中央にはバッテリー収容凹所の蓋より少し小さい寸法で、蓋とほぼ同じ形状の穴４１１が形成され、その穴４１１の周縁は革漉きによって０．２ｍｍの厚みに設定されている。
【００３０】
さらに、革製シート４１の下端部にはバッテリー充電用プラグの接続穴の蓋１６を露出させるための凹部４１４が形成され、その内縁部分は同じく革漉きによって０．２ｍｍの厚みに設定されている。
【００３１】
革製シート４２はバッテリー収容凹所の蓋を覆うほぼ四角形状のシートで、全体は０．４〜０．５ｍｍの厚みを有し、周縁部分（図中、外縁は一点鎖線で囲まれる部分）は革漉きによって０．２ｍｍの厚みに設定されている。
【００３２】
これらの革製シート４０〜４２の裏面には粘着剤が塗布され、剥離シートが貼着されている。なお、粘着剤の材質や組成等は特に限定されず、公知の粘着剤を用いることができる。
【００３３】
携帯電話１０に革製シート４０〜４２を貼着する場合、剥離シートを剥がし、革製シート４０を筐体２０の上側半部の外面にエアーの巻き込みを防止しながら貼りつけ、先端が鋭角となった適当な器具を用い、革製シート４０の周縁部分を全周にわたって筐体２０の内面側半部２１と外面側半部２２との間の隙間に押し込み、内面側半部２１と外面側半部２２との間で挟持させる。
【００３４】
革製シート４１については穴４１０にアンテナ１６を通した後、上記と同様に、筐体２０の下側半部の外面にエアーの巻き込みを防止しながら貼りつけ、先端か鋭角となった適当な器具を用い、革製シート４１の周縁部分を全周にわたって筐体２０の内面側半部２１と外面側半部２２との間の隙間に押し込み、内面側半部２１と外面側半部２２との間で挟持させる。
【００３５】
また、革製シート４１の穴４１１の内縁部分については筐体２０のバッテリー収容凹所の蓋を外し、革製シート４１の穴４１１の内縁部分を収容凹所の内方に折り畳んで収容凹所の内縁部分に貼着させる。
【００３６】
革製シート４２については筐体２０のバッテリー収容凹所の蓋の外面にエアーの巻き込みを防止しながら貼りつけ、周縁を蓋の内側に折り畳んで貼着させ、蓋を筐体２０のバッテリー収容凹所に嵌め込む。
【００３７】
以上のようにすれば携帯電話１０に筐体２０の外面に革製シート４０〜４２を着脱可能に貼りつけることができる。
【００３８】
また、革製シート４０〜４２を修理しあるいは交換する場合には上記と逆の作業を行い、革製シート４０〜４２を筐体２０の外面から剥がせばよい。
【００３９】
なお、上記の例では予め粘着剤を革製シート４０〜４２に塗布しておいたが、両面粘着テープを用いて革製シート４０〜４２を筐体２０の外面に貼りつけるようにしてもよい。また、革製シート４０〜４２の全面を筐体２０の外面に貼りつけるようにしたが、適切な箇所、例えば筐体２０の四隅やコーナー部分、さらには曲面部分を粘着剤によって貼りつけるようにしてもよい。
【００４０】
革製シート４０〜４２は天然革ではなく、合成皮革を用いるようにしてもよい。また、本発明は携帯電話ではなく、ＰＨＳ、ＰＤＡその他の携帯型電子機器に適用してもよい。
【００４１】
また、上記の例では既存の携帯型電子機器に革製シートを貼着するようにしたが、新品の携帯型電子機器を組立てる際に革製シートを貼着するようにしてもよい。
【図面の簡単な説明】
【図１】本発明に係る携帯型電子機器の好ましい実施形態を示す外面側からの斜視図である。
【図２】上記実施形態を示す内面側からの斜視図である。
【図３】上記実施形態における革製シートの形状を示す図である。
【符号の説明】
１０      携帯電話（携帯型電子機器）
２０      筐体
２１      内面側半部
２２      外面側半部
４０、４１、４２      革製シート
【図１】
2004320310.tif 000003
【図２】
2004320310.tif 000004
【図３】
2004320310.tif 000005